(57)【要約】【課題】電子辞書装置において、追加インストールした辞書データを本体内蔵の辞書データに基づいて簡便に辞書検索を行う場合と同じ使い勝手にして利用でき、しかも内蔵辞書および追加辞書をも含めて何れの辞書データに最適な情報が存在するのかを容易に知る。【解決手段】追加辞書をインストールした場合は、各追加辞書のキー位置をシフトキー操作後の各辞書指定キーと各内蔵辞書とを対応付けた辞書キー（シフト後）位置テーブル１２ｅの空きエリアに設定すると共に、メニュー位置テーブル１２ｆの空きエリアにも配列設定し、シフトキー＋辞書指定キーの組み合わせ操作や辞書選択メニュー画面での通常選択操作に応じて内蔵辞書同様に各追加の辞書も呼び出し使用する。「全辞書検索」キーが操作された場合は、各内蔵・追加の辞書をも含めた全辞書を対象に見出し語検索し、一致見出し語の存在する全ての辞書につき追加辞書にはその元メディアを対応付けて一覧表示する。【選択図】    図１４
2005190395.tif 000002
【特許請求の範囲】
【請求項１】
複数の辞書キーと、
この複数の辞書キーにそれぞれ対応付けて予め辞書データが内蔵された複数種類の内蔵辞書を設定する内蔵辞書キー位置設定手段と、
前記辞書キーの操作に応じて前記内蔵辞書キー位置設定手段により当該辞書キーに対応付けられて設定された種類の内蔵辞書の辞書データを表示させる内蔵辞書データ表示制御手段と、
追加の辞書データを受信する追加辞書受信手段と、
この追加辞書受信手段により受信された追加の辞書データを記憶する追加辞書記憶手段と、
前記複数の辞書キーそれぞれの別の機能を指定するための別機能キーと、
この別機能キーにより別の機能が指定された場合の前記辞書キーに対応付けて前記追加辞書記憶手段により辞書データが記憶された追加の辞書を設定する追加辞書キー位置設定手段と、
前記別機能キーにより別の機能が指定された状態での前記辞書キーの操作に応じて前記追加辞書キー位置設定手段により当該辞書キーに対応付けられて設定された前記追加辞書記憶手段により記憶された追加の辞書の辞書データを表示させる追加辞書データ表示制御手段と、
全辞書の検索を指示する全辞書検索キーと、
この全辞書検索キーの操作に応じて前記内蔵の辞書および前記追加の辞書の全ての辞書を対象に見出し語検索する全辞書検索手段と、
この全辞書検索手段による見出し語検索に応じて一致見出し語が検索された全ての辞書名を一覧表示させる検索辞書一覧表示制御手段と、
を備えたことを特徴とする電子辞書装置。
【請求項２】
前記追加辞書記憶手段は、前記追加辞書受信手段により受信された追加の辞書データを追加元のメディア名と共に記憶し、
前記検索辞書一覧表示制御手段は、前記全辞書検索手段による見出し語検索に応じて一致見出し語が検索された全ての辞書名をそのうちの追加の辞書については追加元メディア名を付して一覧表示させる、
ことを特徴とする請求項１に記載の電子辞書装置。
【請求項３】
前記追加辞書記憶手段は、前記追加辞書受信手段により受信された追加の辞書データを追加元のメディア名および追加時期と共に記憶し、
前記検索辞書一覧表示制御手段は、前記全辞書検索手段による見出し語検索に応じて一致見出し語が検索された全ての辞書名をそのうちの追加の辞書については追加元メディア名および追加時期を付して一覧表示させる、
ことを特徴とする請求項１に記載の電子辞書装置。
【請求項４】
さらに、
前記別機能キーにより別の機能が指定された場合に、前記追加辞書記憶手段により記憶された追加の辞書データの辞書名を表示させる追加辞書名表示制御手段を備えたことを特徴とする請求項１ないし請求項３の何れか１項に記載の電子辞書装置。
【請求項５】
前記追加辞書名表示制御手段は、前記別機能キーにより別の機能が指定された場合に、前記追加辞書キー位置設定手段により設定された辞書キーに対応する位置に前記追加辞書記憶手段により記憶された追加の辞書データの辞書名を表示させることを特徴とする請求項４に記載の電子辞書装置。
【請求項６】
前記複数の辞書キーはそれぞれ異なる種類の辞書を指定する辞書キーであり、
前記追加辞書キー位置設定手段は、前記別機能キーにより別の機能が指定された場合の前記複数の辞書キーそれぞれが指定する辞書の種類に対応付けて前記追加辞書記憶手段により記憶された追加の辞書データをその辞書の種類別に設定する、
ことを特徴とする請求項１乃至請求項５の何れか１項に記載の電子辞書装置。
【請求項７】
さらに、
メニューキーと、
このメニューキーの操作に応じて前記内蔵された複数の辞書データの辞書名と前記追加辞書記憶手段により記憶された追加の辞書データの辞書名とをそのうちの追加の辞書については追加元メディア名を付して一覧にして表示させる辞書メニュー表示制御手段と、
この辞書メニュー表示制御手段による一覧表示の配列位置にそれぞれ前記内蔵された複数の辞書および前記追加辞書記憶手段により記憶された追加の辞書それぞれを対応付けて設定するメニュー位置設定手段と、
前記辞書メニュー表示制御手段により一覧表示された複数の辞書データの辞書名の中から１つの辞書名が選択された際に、当該選択された一覧表示の配列位置に対応付けられて前記メニュー位置設定手段により設定された辞書の辞書データを表示させるメニュー選択辞書データ表示制御手段と、
を備えたことを特徴とする請求項２または請求項３に記載の電子辞書装置。
【請求項８】
電子辞書装置のコンピュータを制御するための電子辞書制御プログラムであって、
前記コンピュータを、
複数の辞書キーにそれぞれ対応付けて予め辞書データが内蔵された複数種類の内蔵辞書を設定する内蔵辞書キー位置設定手段、
前記辞書キーの操作に応じて前記内蔵辞書キー位置設定手段により当該辞書キーに対応付けられて設定された種類の内蔵辞書の辞書データを表示させる内蔵辞書データ表示制御手段、
追加の辞書データを受信する追加辞書受信手段、
この追加辞書受信手段により受信された追加の辞書データを記憶する追加辞書記憶手段、
前記複数の辞書キーそれぞれの別の機能を指定するための別機能キーにより別の機能が指定された場合の前記辞書キーに対応付けて前記追加辞書記憶手段により辞書データが記憶された追加の辞書を設定する追加辞書キー位置設定手段、
前記別機能キーにより別の機能が指定された状態での前記辞書キーの操作に応じて前記追加辞書キー位置設定手段により当該辞書キーに対応付けられて設定された前記追加辞書記憶手段により記憶された追加の辞書の辞書データを表示させる追加辞書データ表示制御手段、
全辞書の検索を指示する全辞書検索キーの操作に応じて前記内蔵の辞書および前記追加の辞書の全ての辞書を対象に見出し語検索する全辞書検索手段、
この全辞書検索手段による見出し語検索に応じて一致見出し語が検索された全ての辞書名を一覧表示させる検索辞書一覧表示制御手段、
として機能させるようにしたコンピュータ読み込み可能な電子辞書制御プログラム。
【請求項９】
複数の辞書キーと、この複数の辞書キーにそれぞれ対応付けて予め辞書データが内蔵された複数種類の内蔵辞書を設定する内蔵辞書キー位置設定手段と、前記複数の辞書キーそれぞれの別の機能を指定するための別機能キーと、全辞書の検索を指示する全辞書検索キーとを備えた電子辞書装置を制御するための電子辞書制御方法であって、
前記辞書キーの操作に応じて前記内蔵辞書キー位置設定手段により当該辞書キーに対応付けられて設定された種類の内蔵辞書の辞書データを表示させる内蔵辞書データ表示制御ステップと、
追加の辞書データを受信する追加辞書受信ステップと、
この追加辞書受信ステップにて受信された追加の辞書データを記憶する追加辞書記憶ステップと、
前記別機能キーにより別の機能が指定された場合の前記辞書キーに対応付けて前記追加辞書記憶ステップにて辞書データが記憶された追加の辞書を設定する追加辞書キー位置設定ステップと、
前記別機能キーにより別の機能が指定された状態での前記辞書キーの操作に応じて前記追加辞書キー位置設定ステップにて当該辞書キーに対応付けられて設定された前記追加辞書記憶ステップにて記憶された追加の辞書の辞書データを表示させる追加辞書データ表示制御ステップと、
前記全辞書検索キーの操作に応じて前記内蔵の辞書および前記追加の辞書の全ての辞書を対象に見出し語検索する全辞書検索ステップと、
この全辞書検索ステップによる見出し語検索に応じて一致見出し語が検索された全ての辞書名を一覧表示させる検索辞書一覧表示制御ステップと、
からなることを特徴とする電子辞書制御方法。
【請求項１０】
全辞書の検索を指示する全辞書検索キーと、
この全辞書検索キーの操作に応じて、予め内蔵されている内蔵辞書と事後的に追加された追加辞書との全ての辞書を対象に見出し語検索する全辞書検索手段と、
この全辞書検索手段により見出し語検索された見出し語と当該見出し語が検索された全ての辞書名とを一覧表示させる全辞書一覧表示制御手段と、
を備えたことを特徴とする電子辞書装置。
【請求項１１】
前記追加辞書は、外部から受信されまたは外部記憶媒体から追加された追加の辞書と追加元のメディア名とを含み、
前記全辞書一覧表示制御手段は、前記追加辞書の辞書名と追加元のメディア名とを一覧表示させるメディア名一覧表示制御手段を備えたことを特徴とする請求項１０に記載の電子辞書装置。
【請求項１２】
前記追加辞書は、外部から受信されまたは外部記憶媒体から追加された追加の辞書、追加元のメディア名および追加時期を含み、
前記全辞書一覧表示制御手段は、前記追加の辞書、追加元のメディア名および追加時期を一覧表示させるメディア名一覧表示制御手段を備えたことを特徴とする請求項１０に記載の電子辞書装置。
【請求項１３】
全辞書検索キーを備えた電子辞書装置のコンピュータを制御するための電子辞書制御プログラムにおいて、
前記コンピュータを、
前記全辞書検索キーの操作に応じて、予め内蔵されている内蔵辞書と事後的に追加された追加辞書との全ての辞書を対象に見出し語検索する全辞書検索手段と、
この全辞書検索手段により見出し語検索された見出し語と当該見出し語が検索された全ての辞書名とを一覧表示させる全辞書一覧表示制御手段と、
として機能させるようにしたコンピュータ読み込み可能な電子辞書制御プログラム。
【請求項１４】
全辞書検索キーを備えた電子辞書装置を制御するための電子辞書制御方法において、
前記全辞書検索キーの操作に応じて、予め内蔵されている内蔵辞書と事後的に追加された追加辞書との全ての辞書を対象に見出し語検索する全辞書検索ステップと、
この全辞書検索手段により見出し語検索された見出し語と当該見出し語が検索された全ての辞書名とを一覧表示させる全辞書一覧表示制御ステップと、
を備えていることを特徴とする電子辞書制御方法。
【発明の詳細な説明】
【技術分野】
【０００１】
本発明は、電子データ化した種々の辞書データベースを記憶して各種の言語訳や語句の意味内容などを検索するための電子辞書装置、電子辞書制御プログラム、および電子辞書制御方法に関する。
【背景技術】
【０００２】
従来から、国語辞典，英和辞典，百科事典などの各種の辞典や辞書を電子データ化してＲＯＭなどの記憶媒体に格納し、これに基づき各種の言語や語句を見出し語として入力し、その訳語や意味内容などを検索して表示するようにした電子辞書装置が広く汎用されている。
【０００３】
そして、近年このような電子辞書装置では、例えばユーザのレベルアップや利用分野の変化などによって新たな辞典，辞書データベースが必要になった場合に、所望の辞書データベースが記録され販売されているＣＤ−ＲＯＭを購入してＰＣ(personal computer)を介し追加インストールしたり、インターネット上に開設されている電子辞書メーカの管理サイトからＰＣを介し所望の辞書データベースをダウンロードにより購入して追加インストールしたりできるようにしている。こうすることで、電子辞書装置それ自体の別機種への買い換えを行わずに済むようにしている。
【０００４】
ここで、電子辞書装置に対して外部から追加インストールされた辞書データベースは、当該電子辞書装置の内部において機能拡張用のメモリ領域や外付けされる拡張メモリなどの追加辞書専用のメモリ領域に格納される。このため、追加した辞書データを利用する場合には、前記追加辞書専用のメモリ領域にアクセスするための特別なキー操作が必要で操作が煩雑となり、本体内蔵の辞書データに基づいて簡便に辞書検索を行う場合と同様の使い勝手が得られない問題がある。
【０００５】
また、このように特別なキー操作が必要となる追加の辞書データを各種数多くインストールした場合、内蔵の辞書データおよびこのインストール後の追加の辞書データをも含めて、何れの辞書にユーザが検索すべき最適な情報が存在するのか、個々の辞書データを対象にして繰り返し同様の検索操作を行っていかないと判断することができない。
【０００６】
一方、外部データを簡単な操作で取り込み利用できるようにした通信端末装置として、複数のワンタッチキーにそれぞれ対応付けて外部データの取込先であるアクセス先のリンク情報を登録し、ワンタッチのキー操作で対応するアクセス先から外部データをダウンロードして利用することのできる通信端末装置も考えられている（例えば、特許文献１参照。）。
【特許文献１】特開２００３−１６３７８２号公報
【発明の開示】
【発明が解決しようとする課題】
【０００７】
しかしながら、前記特許文献１にある従来の通信端末装置では、ワンタッチキーによるワンタッチ操作によってその場で必要とする外部データをダウンロードして利用することはできるものの、これは一旦端末装置で取り込んで格納した外部データを必要に応じて読み出して利用するというものではない。従って、この通信端末装置のデータダウンロード機能を前記電子辞書装置に適用した場合でも、内蔵されていない辞書データをワンタッチのキー操作でダウンロードして利用できるようになるだけであり、本体内蔵の辞書データに基づいて辞書検索を行う場合と同じ使い勝手にはなり得ないばかりでなく、常にアクセス先との通信を行う通信機能を備えている必要がある。
【０００８】
しかも、数多くの追加の辞書をダウンロードした場合に、内蔵辞書および追加辞書をも含めて何れの辞書データに最適な情報が存在するのかを容易に知ることができない問題がある。
【０００９】
本発明は、このような課題に鑑みなされたもので、追加インストールした辞書データを本体内蔵の辞書データに基づいて簡便に辞書検索を行う場合と同じ使い勝手にして利用でき、しかも内蔵辞書および追加辞書をも含めて何れの辞書データに最適な情報が存在するのかを容易に知ることが可能になる電子辞書装置、電子辞書制御プログラム、および電子辞書制御方法を提供することを目的とする。
【課題を解決するための手段】
【００１０】
本発明の請求項１に係る電子辞書装置は、内蔵辞書キー位置設定手段によって複数の辞書キーにそれぞれ対応付けられて予め辞書データが内蔵された複数種類の内蔵辞書が設定され、前記辞書キーの操作に応じて前記内蔵辞書キー位置設定手段により当該辞書キーに対応付けられて設定された種類の内蔵辞書の辞書データが内蔵辞書データ表示制御手段によって表示される。追加辞書受信手段によって追加の辞書データが受信されると、この受信された追加の辞書データは追加辞書記憶手段によって記憶される。前記複数の辞書キーそれぞれの別の機能を指定するための別機能キーにより別の機能が指定された場合の当該辞書キーに対応付けられて前記追加辞書記憶手段により辞書データが記憶された追加の辞書が追加辞書キー位置設定手段によって設定され、前記別機能キーにより別の機能が指定された状態での前記辞書キーの操作に応じて前記追加辞書キー位置設定手段により当該辞書キーに対応付けられて設定された前記追加辞書記憶手段により記憶された追加の辞書の辞書データが追加辞書データ表示制御手段によって表示される。そして、全辞書の検索を指示する全辞書検索キーの操作に応じて全辞書検索手段によって前記内蔵の辞書および前記追加の辞書の全ての辞書を対象に見出し語検索され、この見出し語検索に応じて一致見出し語が検索された全ての辞書名が検索辞書一覧表示制御手段によって一覧表示される。
【００１１】
これによれば、シフトキーなどの別機能キーの操作状態で内蔵辞書同様に複数の辞書キーを選択操作することで、選択操作された辞書キーに応じた追加の辞書データを読み出して表示でき、しかも全辞書検索キーを操作して全ての辞書を対象にした見出し語検索行うことで、より多様な辞書の中から適切な検索結果が得られることになる。
【００１２】
本発明の請求項２に係る電子辞書装置は、前記請求項１に係る電子辞書装置にあって、前記追加辞書記憶手段は、前記追加辞書受信手段により受信された追加の辞書データを追加元のメディア名と共に記憶し、前記検索辞書一覧表示制御手段は、前記全辞書検索手段による見出し語検索に応じて一致見出し語が検索された全ての辞書名をそのうちの追加の辞書については追加元メディア名を付して一覧表示させる。
【００１３】
これによれば、全辞書検索に応じて一致見出し語が検索された各辞書名のうち、追加の辞書が何れであるか又そのダウンロード元のメディア名を容易に確認できることになる。
【００１４】
本発明の請求項３に係る電子辞書装置は、前記請求項１に係る電子辞書装置にあって、前記追加辞書記憶手段は、前記追加辞書受信手段により受信された追加の辞書データを追加元のメディア名および追加時期と共に記憶し、前記検索辞書一覧表示制御手段は、前記全辞書検索手段による見出し語検索に応じて一致見出し語が検索された全ての辞書名をそのうちの追加の辞書については追加元メディア名および追加時期を付して一覧表示させる。
【００１５】
これによれば、全辞書検索に応じて一致見出し語が検索された各辞書名のうち、追加の辞書が何れであるか又そのダウンロード元のメディア名および追加時期を容易に確認できることになる。
【００１６】
本発明の請求項４に係る電子辞書装置は、前記請求項１ないし請求項３の何れか１項に係る電子辞書装置にあって、さらに、前記別機能キーにより別の機能が指定された場合に、前記追加辞書記憶手段により記憶された追加の辞書データの辞書名を表示させる追加辞書名表示制御手段を備える。
【００１７】
これによれば、別機能キーにより別機能が指定された状態での複数の辞書キーにそれぞれ対応付けられた追加の辞書名を容易に確認できることになる。
【００１８】
本発明の請求項５に係る電子辞書装置は、前記請求項４に係る電子辞書装置にあって、前記追加辞書名表示制御手段は、前記別機能キーにより別の機能が指定された場合に、前記追加辞書キー位置設定手段により設定された辞書キーに対応する位置に前記追加辞書記憶手段により記憶された追加の辞書データの辞書名を表示させる。
【００１９】
これによれば、別機能キーにより別機能が指定された状態での複数の辞書キーにそれぞれ対応付けられた追加の辞書名を、当該辞書キーの位置に対応付けて容易に確認できることになる。
【００２０】
本発明の請求項６に係る電子辞書装置は、前記請求項１乃至請求項５の何れか１項に係る電子辞書装置にあって、前記複数の辞書キーはそれぞれ異なる種類の辞書を指定する辞書キーであり、前記追加辞書キー位置設定手段は、前記別機能キーにより別の機能が指定された場合の前記複数の辞書キーそれぞれが指定する辞書の種類に対応付けて前記追加辞書記憶手段により記憶された追加の辞書データをその辞書の種類別に設定する。
【００２１】
これによれば、複数の辞書キーによりそれぞれ指定すべき異なる辞書の種類に対応付けて、追加の辞書データをそれぞれその種類別に設定できることになる。
【００２２】
本発明の請求項７に係る電子辞書装置は、前記請求項２または請求項３に係る電子辞書装置にあって、さらに、メニューキーの操作に応じて前記内蔵された複数の辞書データの辞書名と前記追加辞書記憶手段により記憶された追加の辞書データの辞書名とが辞書メニュー表示制御手段によってそのうちの追加の辞書については追加元メディア名が付されて一覧にして表示され、メニュー位置設定手段によって前記一覧表示の配列位置にそれぞれ前記内蔵された複数の辞書および前記追加辞書記憶手段により記憶された追加の辞書それぞれが対応付けられて設定される。そして、前記辞書メニュー表示制御手段により一覧表示された複数の辞書データの辞書名の中から１つの辞書名が選択された際には、当該選択された一覧表示の配列位置に対応付けられて前記メニュー位置設定手段により設定された辞書の辞書データがメニュー選択辞書データ表示制御手段によって表示される。
【００２３】
これによれば、内蔵された複数の辞書データであっても、追加の辞書データであっても、各辞書データの辞書名を配列して一覧表示したメニュー画面から選択して使用でき、しかも追加の辞書データについてはその追加元のメディアを容易に知ることができることになる。
【００２４】
本発明の請求項１０に係る電子辞書装置において、全辞書検索手段は、全辞書の検索を指示するための全辞書検索キーの操作がなされると、この全辞書検索キーの操作に応じて、予め内蔵されている内蔵辞書と事後的に追加された追加辞書との全ての辞書を対象に見出し語検索する。すると、全辞書一覧表示制御手段は、この全辞書検索手段により見出し語検索された見出し語と当該見出し語が検索された全ての辞書名とを一覧表示させる。
【００２５】
これによれば、全辞書検索キーの操作がなされると、この全辞書検索キーの操作に応じて、予め内蔵されている内蔵辞書ばかりでなく、事後的に追加された追加辞書を含む全ての辞書を対象に見出し語検索を行い、この見出し語検索された見出し語と当該見出し語が検索された全ての辞書名とを一覧表示させることができる。
【発明の効果】
【００２６】
本発明の請求項１（請求項８）（請求項９）に係る電子辞書装置（電子辞書制御プログラム）（電子辞書制御方法）によれば、シフトキーなどの別機能キーの操作状態で内蔵辞書同様に複数の辞書キーを選択操作することで、選択操作された辞書キーに応じた追加の辞書データを読み出して表示でき、しかも全辞書検索キーを操作して全ての辞書を対象にした見出し語検索行うことで、より多様な辞書の中から適切な検索結果が得られるようになる。
【００２７】
本発明の請求項２に係る電子辞書装置によれば、前記請求項１に係る電子辞書装置にあって、全辞書検索に応じて一致見出し語が検索された各辞書名のうち、追加の辞書が何れであるか又そのダウンロード元のメディア名を容易に確認できるようになる。
【００２８】
本発明の請求項３に係る電子辞書装置によれば、前記請求項１に係る電子辞書装置にあって、全辞書検索に応じて一致見出し語が検索された各辞書名のうち、追加の辞書が何れであるか又そのダウンロード元のメディア名および追加時期を容易に確認できるようになる。
【００２９】
本発明の請求項４に係る電子辞書装置によれば、前記請求項１ないし請求項３の何れか１項に係る電子辞書装置にあって、さらに、別機能キーにより別機能が指定された状態での複数の辞書キーにそれぞれ対応付けられた追加の辞書名を容易に確認できるようになる。
【００３０】
本発明の請求項５に係る電子辞書装置によれば、前記請求項４に係る電子辞書装置にあって、別機能キーにより別機能が指定された状態での複数の辞書キーにそれぞれ対応付けられた追加の辞書名を、当該辞書キーの位置に対応付けて容易に確認できるようになる。
【００３１】
本発明の請求項６に係る電子辞書装置によれば、前記請求項１乃至請求項５の何れか１項に係る電子辞書装置にあって、複数の辞書キーによりそれぞれ指定すべき異なる辞書の種類に対応付けて、追加の辞書データをそれぞれその種類別に設定できるようになる。
【００３２】
本発明の請求項７に係る電子辞書装置によれば、前記請求項２または請求項３に係る電子辞書装置にあって、さらに、内蔵された複数の辞書データであっても、追加の辞書データであっても、各辞書データの辞書名を配列して一覧表示したメニュー画面から選択して使用でき、しかも追加の辞書データについてはその追加元のメディアを容易に知ることができるようになる。
【００３３】
本発明の請求項１０に係る電子辞書装置によれば、全辞書検索キーの操作がなされると、この全辞書検索キーの操作に応じて、予め内蔵されている内蔵辞書ばかりでなく、事後的に追加された追加辞書を含む全ての辞書を対象に見出し語検索を行い、この見出し語検索された見出し語と当該見出し語が検索された全ての辞書名とを一覧表示させることができる。
【００３４】
よって、本体の内蔵辞書に基づいて簡便に辞書検索を行う場合と同じ使い勝手にして追加辞書を利用でき、しかも内蔵辞書および追加辞書をも含めて何れの辞書データに最適な情報が存在するのかを容易に知ることが可能になる電子辞書装置、電子辞書制御プログラム、および電子辞書制御方法を提供できる。
【発明を実施するための最良の形態】
【００３５】
以下図面により本発明の実施の形態について説明する。
【００３６】
図１は本発明の電子辞書装置の実施形態に係る携帯機器（電子辞書）１０の電子回路の構成を示すブロック図である。
【００３７】
この携帯機器（電子辞書）１０は、以下に説明する電子辞書機能を備えたＰＤＡ(personal digital assistants)として構成されるか、電子辞書専用の携帯機器として構成される。この携帯機器（電子辞書）１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００３８】
ＣＰＵ１１は、メモリ１２内に予め記憶された装置制御プログラム、あるいはＣＤ−ＲＯＭなどの外部記録媒体１３から記録媒体読取部１４を介して前記メモリ１２に読み込まれた装置制御プログラム、あるいはインターネットＮ上のＷｅｂサーバ（この場合はプログラムサーバ）から電送制御部１５を介して前記メモリ１２に読み込まれた装置制御プログラム、あるいは同インターネットＮ上のＷｅｂサーバ（プログラムサーバ）からユーザＰＣ(personal computer)３０および通信部１６を介して前記メモリ１２に読み込まれた装置制御プログラムに応じて、回路各部の動作を制御するもので、前記メモリ１２に記憶された装置制御プログラムは、キーやタッチパネルからなる入力部１７からのユーザ操作に応じた入力信号、あるいは電送制御部１５や通信部１６（ユーザＰＣ３０）を介して接続されるインターネットＮ上の各Ｗｅｂサーバ２０…との通信信号に応じて起動される。
【００３９】
前記ＣＰＵ１１には、前記メモリ１２、記録媒体読取部１４、電送制御部１５、通信部１６、入力部１７が接続される他に、ＬＣＤからなる表示部１８などが接続される。
【００４０】
メモリ１２には、当該携帯機器（電子辞書）１０の全体の動作を司るシステムプログラムや電送制御部１５（通信部１６）を介してインターネットＮ上の各Ｗｅｂサーバ２０…とデータ通信するための通信プログラムが記憶される他に、新たに必要な辞書データを辞書管理サーバ２０からダウンロードしたり、ＣＤ−ＲＯＭ（記録媒体）１３から読み取ったりして取り込み、内蔵の辞書データ（１２ｃ）を使用する場合と同様の使い勝手に設定するための辞書追加処理プログラム１２ａ、内蔵の辞書データ（１２ｃ）および追加の辞書データ（１２ｇ）に基づき見出し語入力に応じた訳語や意味内容などの各種検索処理を行うための検索処理プログラム１２ｂが記憶される。
【００４１】
また、このメモリ１２には、内蔵辞書データメモリ１２ｃ、辞書キー位置テーブル１２ｄ、辞書キー（シフト後）位置テーブル１２ｅ、メニュー位置テーブル１２ｆ、追加辞書データメモリ１２ｇ、ワークエリア１２ｈが用意され、さらに個人情報メモリ１２ｉ、電子辞書追加情報メモリ１２ｊなどが用意される。
【００４２】
内蔵辞書データメモリ１２ｃには、例えばこの携帯機器（電子辞書）１０の購入者層に応じたレベルの国語辞典や英和辞典など、各種の辞書データが予め記憶されて内蔵されるもので、例えば中学生レベルを購入者層とする場合には、国語は「学習国語辞典」、百科は「ものしり百科事典」「ことわざ辞典」、漢和は「マンガ漢和辞典」、英和は「初級英和辞典」、和英は「ジュニアー和英辞典」などとされる。
【００４３】
辞書キー位置テーブル１２ｄには、この携帯機器（電子辞書）１０の入力部１７に設けられた各辞書指定キー１７a1〜１７a5（図１１参照）について、当該キー操作により直接指定して検索対象辞書として使用される辞書名が対応付けられて記憶される。
【００４４】
図３は前記携帯機器（電子辞書）１０のメモリ１２にて管理される辞書キー位置テーブル１２ｄの一例を示す図である。
【００４５】
すなわち、内蔵辞書データメモリ１２ｃに予め記憶内蔵された各辞書データの内容が前述の通りである場合には、辞書キー位置テーブル１２ｄにおいて、辞書指定キー「国語」１７a1には「学習国語辞典」、辞書指定キー「百科」１７a2には「ものしり百科事典」、辞書指定キー「漢和」１７a3には「マンガ漢和辞典」、辞書指定キー「英和」１７a4には「初級英和辞典」、辞書指定キー「和英」１７a5には「ジュニアー和英辞典」がそれぞれ対応付けられて設定される。
【００４６】
辞書キー（シフト後）位置テーブル１２ｅには、この携帯機器（電子辞書）１０の入力部１７に設けられた各辞書指定キー１７a1〜１７a5およびシフトキー１７ｓ（図１１参照）について、当該シフトキー１７ｓの操作によるシフト機能状態での各辞書指定キー１７a1〜１７a5のキー操作によりシフト指定して検索対象辞書として使用される辞書名が対応付けられて記憶される。
【００４７】
図４は前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図である。
【００４８】
すなわち、内蔵辞書データメモリ１２ｃに予め記憶内蔵された各辞書データの内容が前述の通りであり、また追加辞書データメモリ１２ｇに何の追加の辞書データも記憶されてない場合には、図４（Ａ）に示すように、辞書キー（シフト後）位置テーブル１２ｅにおいて、シフト＋辞書指定キー「百科」１７a2のみに「ことわざ事典」が対応付けられて設定される。
【００４９】
一方、例えばユーザが中学生レベルから高校生レベルにレベルアップするのに伴い、辞書管理サーバ２０からのダウンロードあるいはＣＤ−ＲＯＭ（外部記録媒体）１３からの読み込みにより追加辞書データメモリ１２ｇに記憶された各追加辞書データの内容が、国語は「○辞苑」、百科は「マイ百科事典」、漢和は「大漢字辞典」、英和は「ジ○ニアス英和辞典」、和英は「クラウ○和英辞典」、その他「○○俳句季題便覧」「英語類語辞典」「○○ＩＴ用語辞典」である場合には、図４（Ｂ）に示すように、辞書キー（シフト後）位置テーブル１２ｅにおいて、シフト＋辞書指定キー「国語」１７ｓ＋１７a1には「○辞苑」、シフト＋辞書指定キー「百科」１７ｓ＋１７a2には「ことわざ辞典」、シフト＋辞書指定キー「漢和」１７ｓ＋１７a3には「大漢字辞典」、シフト＋辞書指定キー「英和」１７ｓ＋１７a4には「ジ○ニアス英和辞典」、シフト＋辞書指定キー「和英」１７ｓ＋１７a5には「クラウ○和英辞典」がそれぞれ対応付けられて設定される。
【００５０】
なお、この辞書キー（シフト後）位置テーブル１２ｅにおける各辞書指定キー１７a1〜１７a5と各辞書データとの対応付けの位置は、ユーザ操作により任意に変更設定可能である（図９（Ａ）（Ａ１）参照）。
【００５１】
メニュー位置テーブル１２ｆには、この携帯機器（電子辞書）１０の入力部１７に設けられたメニューキー１７ｍ（図１１参照）の操作に伴う辞書選択メニュー画面Ｍｎ（図１２参照）について、当該辞書選択メニュー画面Ｍｎ内でカーソル指定して検索対象辞書として使用される辞書名（タイトル）が対応付けられて記憶される。
【００５２】
図５は前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図である。
【００５３】
すなわち、内蔵辞書データメモリ１２ｃに予め記憶内蔵された各辞書データの内容が前述の通りであり、また追加辞書データメモリ１２ｇに何の追加の辞書データも記憶されてない場合には、図５（Ａ）に示すように、メニュー位置テーブル１２ｆにおいて、メニューキー１７ｍ（図１１参照）の操作に伴い表示される辞書選択メニュー画面Ｍｎには、「[A]学習国語辞典」「[B]ものしり百科事典」「[C]マンガ漢和辞典」「[D]初級英和辞典」「[E]ジュニアー和英辞典」「[F]ことわざ辞典」が順次配列されて設定される。
【００５４】
一方、例えばユーザが中学生レベルから高校生レベルにレベルアップするのに伴い、辞書管理サーバ２０からのダウンロードあるいはＣＤ−ＲＯＭ（外部記録媒体）１３からの読み込みにより前述の通りの各追加辞書データが追加辞書データメモリ１２ｇに記憶された場合には、図５（Ｂ）に示すように、メニュー位置テーブル１２ｆにおいて、メニューキー１７ｍ（図１１参照）の操作に伴い表示される辞書選択メニュー画面Ｍｎには、前記内蔵辞書データメモリ１２ｃに記憶された各内蔵の辞書データ「[A]学習国語辞典」〜「[F]ことわざ辞典」に続けて、さらに追加辞書データメモリ１２ｇに記憶された各追加の辞書データ「[G]○辞苑」「[H]マイ百科事典」「[I]大漢字辞典」「[J]ジ○ニアス英和辞典」「[K]クラウ○和英辞典」「[L]○○俳句季題便覧」「[M]英語類語辞典」「[N]○○ＩＴ用語辞典」が順次配列されて設定される。
【００５５】
なお、このメニュー位置テーブル１２ｆによる辞書選択メニュー画面Ｍｎ上での各辞書データの配列位置は、ユーザ操作により任意に変更設定可能である（図９（Ｂ）（Ｃ）参照）。
【００５６】
追加辞書データメモリ１２ｇには、本携帯機器（電子辞書）１０の購入後に、例えばユーザのレベルアップに伴い、辞書管理サーバ２０からのダウンロードあるいはＣＤ−ＲＯＭ（外部記録媒体）１３からの読み込みにより得られた各追加の辞書データが記憶されるもので、前述した通り、例えばユーザが中学生レベルから高校生レベルにレベルアップした場合の各追加の辞書データの内容は、国語「○辞苑」、百科「マイ百科事典」、漢和「大漢字辞典」、英和「ジ○ニアス英和辞典」、和英「クラウ○和英辞典」、その他「○○俳句季題便覧」「英語類語辞典」「○○ＩＴ用語辞典」とされる。なお、この追加辞書データメモリ１２ｇに記憶される各追加の辞書データには、それぞれその辞書名（タイトル）、当該辞書のダウンロード元である元メディアの情報、ダウンロードの年月日情報とが対応付けられて記憶される。
【００５７】
ワークエリア１２ｈには、前記辞書追加処理プログラム１２ａや検索処理プログラム１２ｂなどの各種の装置制御処理プログラムに従いＣＰＵ１１に入出力される種々のデータが必要に応じて記憶される。
【００５８】
個人情報メモリ１２ｉには、通信ネットワーク（インターネット）Ｎ上の各Ｗｅｂサーバ２０…との通信に伴う電子商取引において通知を要するユーザの銀行口座番号・認証ＩＤなどが記憶登録される。
【００５９】
電子辞書追加情報メモリ１２ｊには、前記辞書追加処理プログラム１２ａに従った辞書追加処理に伴い辞書管理サーバ２０から通知される当該携帯機器（電子機器）１０に対する追加可能な辞書タイトルとその辞書データの容量・価格などの情報が記憶される（図８（Ｂ）参照）。
【００６０】
図２は前記携帯機器（電子辞書）１０での辞書追加処理に伴い通信ネットワーク（インターネット）Ｎを介してアクセスされる辞書管理サーバ２０の電子回路の構成を示すブロック図である。
【００６１】
この辞書管理サーバ２０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００６２】
ＣＰＵ２１は、メモリ２２内に予め記憶されたサーバ制御プログラム２２ａ、あるいはＣＤ−ＲＯＭなどの外部記録媒体２３から記録媒体読取部２４を介して前記メモリ２２に読み込まれたサーバ制御プログラム２２ａ、あるいはインターネットＮ上の他のＷｅｂサーバ（この場合はプログラムサーバ）から電送制御部２５を介して前記メモリ２２に読み込まれたサーバ制御プログラム２２ａに応じて、回路各部の動作を制御するもので、前記メモリ２２に記憶されたサーバ制御プログラム２２ａは、電送制御部２５から通信ネットワーク（インターネット）Ｎを介して接続される携帯機器（電子辞書）１０やユーザＰＣ３０、他のＷｅｂサーバとの通信信号に応じて起動される。
【００６３】
前記ＣＰＵ２１には、前記メモリ２２、記録媒体読取部２４、電送制御部２５が接続される他に、入力部２６、ＬＣＤからなる表示部２７などが接続される。
【００６４】
そして、メモリ２２内のサーバ制御プログラム２２ａとしては、当該辞書管理サーバ２０の全体の動作を司るシステムプログラム、電送制御部２５を介してインターネットＮ上の各通信端末(携帯機器（電子辞書）１０、ユーザＰＣ３０、他のＷｅｂサーバなど）とデータ通信するための通信プログラムが記憶される他に、前記インターネットＮ上の携帯機器（電子辞書）１０とのアクセスに伴い追加辞書の情報を提供し、要求された追加の辞書データをダウンロードするためのサーバ用辞書追加処理プログラムなどが記憶される。
【００６５】
また、メモリ２２には、「国語」「百科」「漢和」「英和」「和英」「その他」など、種類別にした複数レベルの各辞書データが記憶される種類別辞書データベース２２ｂが備えられ、さらに、各辞書情報メモリ２２ｃ、顧客端末別購入情報メモリ２２d1，２２d2，…が備えられる。
【００６６】
各辞書情報メモリ２２ｃには、前記種類別辞書データベース２２ｂに記憶された各辞書データのタイトル別に、その収容語数、使用用途、対象ユーザレベル、データ容量、販売価格、推薦情報などが記憶される。
【００６７】
顧客端末別購入情報メモリ２２d1，２２d2，…には、この辞書管理サーバ２０とのアクセスに伴い辞書追加処理が実施された各携帯機器（電子辞書）１０毎の内蔵辞書タイトル２２dn1、追加辞書タイトル２２dn2、ユーザ個人情報２２dn3、請求価格２２dn4が記憶される。
【００６８】
次に、前記構成の携帯機器（電子辞書）１０および辞書管理サーバ２０それぞれの動作について説明する。
【００６９】
図６は前記携帯機器（電子辞書）１０と辞書管理サーバ２０との間で実施される辞書追加処理を示すフローチャートであり、同図（Ａ）は携帯機器（電子辞書）１０側の辞書追加処理を示すフローチャート、同図（Ｂ）は辞書管理サーバ２０側の辞書追加処理を示すフローチャートである。
【００７０】
図７は前記携帯機器（電子辞書）１０と辞書管理サーバ２０との間で実施される辞書追加処理に伴う追加辞書のキー位置設定処理を示すフローチャートであり、同図（Ａ）は携帯機器（電子辞書）１０側のキー位置設定処理を示すフローチャート、同図（Ｂ）は辞書管理サーバ２０側のキー位置設定処理を示すフローチャートである。
【００７１】
図８は前記携帯機器（電子辞書）１０での辞書追加処理に伴う表示動作を示す図であり、同図（Ａ）は「学習国語辞典」での見出し語入力画面Ｇ１を示す図、同図（Ｂ）は追加辞書購入選択画面Ｇ２を示す図である。
【００７２】
図９は前記携帯機器（電子辞書）１０の辞書追加処理に伴うキー位置設定処理での表示動作を示す図であり、同図（Ａ）はシフト後キー位置設定画面Ｇ３を示す図、同図（Ｂ）はメニュー位置設定第１画面Ｇm1を示す図、同図（Ｃ）はメニュー位置設定第２画面Ｇm2を示す図である。
【００７３】
携帯機器（電子辞書）１０において、例えば図８（Ａ）に示すように、辞書指定キー「国語辞典」１７a1を操作すると、辞書キー位置テーブル１２ｄ（図３参照）にて対応付けられた「学習国語辞典」の辞書データに基づく見出し語入力画面Ｇ１が表示される。
【００７４】
ここで、「シフト」キー１７ｓと「メニュー」キー１７ｍの操作により、辞書管理サーバ２０への通信開始が指示されると（ステップＡ１）、通信部１６からユーザＰＣ３０経由での接続か、または電送制御部１５からの直接接続かが判断される（ステップＡ２）。
【００７５】
ここで、通信部１６を介しＵＳＢ（Universal Serial Bus）ケーブルによってユーザＰＣ３０との接続が検知された場合には、当該ユーザＰＣ３０との通信接続処理が行われインターネットＮ上の辞書管理サーバ２０にアクセスされる（ステップＡ３）。また、通信カードなどを使用した電送制御部１５からの接続が検知された場合には、当該電送制御部１５を介して直接インターネットＮ上の辞書管理サーバ２０に接続されアクセスされる（ステップＡ４）。
【００７６】
すると、内蔵辞書データメモリ１２ｃに記憶されている内蔵された各辞書データおよび追加辞書データメモリ１２ｇに既に追加されて記憶されている各辞書データが有る場合にはその追加の辞書データも含め、現在内蔵中の各辞書データのタイトルと追加辞書データメモリ１２ｇにおいて追加記憶可能な空き容量とが辞書管理サーバ２０へ送信される（ステップＡ５）。
【００７７】
辞書管理サーバ２０において、前記携帯機器（電子辞書）１０からの接続が検知されると（ステップＢ１）、当該携帯機器（電子辞書）１０において送信された現在内蔵中の各辞書データのタイトルと追加記憶可能なメモリ空き容量とが受信され、顧客端末別購入情報メモリ２２dnに記憶される（ステップＢ２）。
【００７８】
すると、この顧客端末別購入情報メモリ２２dnに記憶されたアクセス中の携帯機器（電子辞書）１０の内蔵中の各辞書以外でそのメモリ空き容量に応じて追加可能な各辞書データのタイトルが、各辞書情報メモリ２２ｃに記憶されている個々の辞書データそれぞれの情報に基づき「国語辞書」「百科辞典」「漢和辞書」などの種類別に抽出される（ステップＢ３）。そして、前記携帯機器（電子辞書）１０における各内蔵辞書のタイトルと共に、前記抽出された各追加可能辞書のタイトルおよびその容量／価格情報が携帯機器（電子辞書）１０へ送信される（ステップＢ４）。
【００７９】
携帯機器（電子辞書）１０では、前記辞書管理サーバ２０から送信された当該携帯機器１０の各内蔵辞書タイトル、そして各追加可能辞書のタイトルおよびその容量／価格情報が受信されると、図８（Ｂ）に示すように、左エリアに現在内蔵中の種類別の辞書タイトル、右エリアに各追加可能辞書のタイトルを同種類別にそのデータ容量／価格と共に表配列にした追加辞書購入選択画面Ｇ２が表示される（ステップＡ６）。
【００８０】
このように、追加辞書購入選択画面Ｇ２が表示部１８に表示された状態で、カーソルキー１７ｋおよび「訳／決定」キー１７ｙの操作により所望の追加可能辞書がユーザ選択されて指定され、反転表示などにより識別表示されると、この識別表示された追加購入対象辞書それぞれのデータ容量／価格から、残りのメモリ空き容量（残容量）および合計購入価格が計算され、「残量／金額計」の欄に表示される（ステップＡ７）。
【００８１】
そして、ユーザ所望の追加の辞書が選択識別表示された状態で「訳／決定」キー１７ｙの操作により追加辞書の購入の決定が行われると、図９（Ａ）に示すように、シフト後キー位置設定画面Ｇ３が表示される。このシフト後キー位置設定画面Ｇ３において、入力部１７における英数キーの操作によりユーザのクレジット番号が入力されると、前記選択決定された追加の辞書タイトル及び合計購入金額と共に、入力されたユーザのクレジット番号は辞書管理サーバ２０へ送信され（ステップＡ８）、図７（Ａ）における追加辞書のキー位置設定処理に移行される（ステップＡＣ）。
【００８２】
辞書管理サーバ２０において、前記携帯機器（電子辞書）１０から送信された追加要求の各種辞書タイトル及び合計購入金額、クレジット番号が受信されると、アクセス中の携帯機器１０に対応する顧客端末別購入情報メモリ２２dnに記憶されているユーザ個人情報２２dn3に基づき、受信されたクレジット番号が認証され（ステップＢ５）、図７（Ｂ）における追加辞書のキー位置設定処理に移行される（ステップＢＤ）。
【００８３】
なお、本実施形態において、携帯機器（電子辞書）１０のユーザは、例えば中学生レベルから高校生レベルへの移行段階にあるものとし、内蔵辞書データメモリ１２ｃには、例えば「学習国語辞典」「ものしり百科事典」「マンガ漢和辞典」「初級英和辞典」「ジュニアー和英辞典」「ことわざ辞典」が各内蔵辞書として記憶されている。そして、辞書キー位置テーブル１２ｄには、図３で示したように、各辞書指定キー１７a1「国語」〜１７a5「和英」に対応した辞書として前記各内蔵辞書「学習国語辞典」〜「ジュニアー和英辞典」が設定され、辞書キー（シフト後）位置テーブル１２ｅには、図４（Ａ）で示したように、シフトキー１７ｓ＋辞書指定キー「百科」１７a2に対応した辞書として前記内蔵辞書「ことわざ辞典」が設定されている。
【００８４】
さらに、メニュー位置テーブル１２ｆには、図５（Ａ）で示したように、メニューキー１７ｍの操作により表示される辞書メニューの配列として、前記各内蔵辞書「[A]学習国語辞典」〜「[F]ことわざ辞典」が設定されている。
【００８５】
そして、今回の辞書追加処理における高校生レベルへの移行に伴う追加の辞書としては、「国語」「百科」「漢和」「英和」「和英」「その他」の各種類において「○辞苑」「マイ百科事典」「大漢字辞典」「ジ○ニアス英和辞典」「クラウ○和英辞典」「○○俳句季題便覧」「英語類語辞典」「○○ＩＴ用語事典」が選択指定されたものとする。
【００８６】
図７に示す追加辞書のキー位置設定処理が起動されると、前記指定の追加辞書を呼び出すための操作位置を、辞書選択メニュー画面Ｍｎ（図１２参照）上のみとするか、又はシフト機能上での辞書指定キー１７anの位置とするかが、前記図９（Ａ）で示したシフト後キー位置設定画面Ｇ３上での追加辞書キー設定「メニュー／シフト後キー」の項目選択に応じて判断される（ステップＣ１）。
【００８７】
ここで、「シフト後キー」が項目選択されてシフト機能上での辞書指定キー１７anに対応付けた追加辞書の位置設定であると判断されると、前記追加辞書のうちで先頭の辞書「○辞苑」が指定され（ステップＣ１→Ｃ２）、その辞書の種類が「国語」であることが検知される（ステップＣ３）。
【００８８】
すると、この「国語」の種類の内蔵辞書が有るか否か判断され（ステップＣ４）、この場合には、「国語」の内蔵辞書として「学習国語事典」があると判断され、この内蔵辞書「学習国語事典」を指定するための辞書指定キー「国語」１７a1に対応したシフト後の設定位置は空いているか否かが、現在の辞書キー（シフト後）位置テーブル１２ｅ（図４（Ａ）参照）に基づき判断される（ステップＣ４→Ｃ５）。
【００８９】
そして、辞書指定キー「国語」１７a1に対応したシフト後の設定位置が空いていると判断されると、図４（Ｂ）に示すように、当該辞書キー（シフト後）位置テーブル１２ｅにおける「国語」のシフト後設定位置が追加辞書「○辞苑」のキー位置として設定される（ステップＣ５→Ｃ６）。
【００９０】
また、前記追加辞書「○辞苑」を呼び出すためのキー位置は、図５（Ｂ）に示すように、メニュー位置テーブル１２ｆに設定されている内蔵辞書「[A]学習国語辞典」〜「[F]ことわざ辞典」のキー位置に続く空きエリア[G]にも設定される（ステップＣ７）。
【００９１】
すると、次の追加辞書「マイ百科事典」が指定され（ステップＣ８）、その辞書の種類が「百科」であることが検知される（ステップＣ３）。
【００９２】
すると、この「百科」の種類の内蔵辞書として「ものしり百科事典」があると判断され（ステップＣ４）、この内蔵辞書「ものしり百科事典」を指定するための辞書指定キー「百科」１７a2に対応したシフト後の設定位置は空いているか否かが、前記先頭の追加辞書同様に現在の辞書キー（シフト後）位置テーブル１２ｅ（図４（Ａ）参照）に基づき判断される（ステップＣ４→Ｃ５）。
【００９３】
この場合、辞書指定キー「百科」１７a2に対応したシフト後の設定位置には、内蔵辞書「ことわざ事典」が既に設定されており空き無しと判断されるので、前記追加辞書「マイ百科事典」を呼び出すためのキー位置は、図５（Ｂ）に示すように、メニュー位置テーブル１２ｆに設定されている前記追加辞書「[G]○辞苑」のキー位置に続く空きエリア[H]にのみ設定される（ステップＣ５→Ｃ７）。
【００９４】
すると、さらに次の追加辞書「大漢字辞典」が指定され（ステップＣ８）、その辞書の種類が「漢和」であることが検知される（ステップＣ３）。
【００９５】
すると、この「漢和」の種類の内蔵辞書として「マンガ漢和辞典」があると判断され（ステップＣ４）、辞書キー（シフト後）位置テーブル１２ｅ（図４（Ａ）参照）における辞書指定キー「漢和」１７a3に対応したシフト後の設定位置は空き有りと判断される（ステップＣ５）。
【００９６】
これにより、図４（Ｂ）に示すように、当該辞書キー（シフト後）位置テーブル１２ｅにおける「漢和」のシフト後設定位置が追加辞書「大漢字辞典」のキー位置として設定され（ステップＣ６）、また、当該追加辞書「大漢字辞典」を呼び出すためのキー位置は、図５（Ｂ）に示すように、メニュー位置テーブル１２ｆに設定されている前記追加辞書「[H]マイ百科事典」のキー位置に続く空きエリア[I]にも設定される（ステップＣ７）。
【００９７】
すると、さらに次の追加辞書「ジ○ニアス英和辞典」が指定され（ステップＣ８）、その辞書の種類が「英和」であることが検知される（ステップＣ３）。
【００９８】
この後、前記ステップＣ３〜Ｃ８における処理が同様に繰り返されることで、前記追加辞書「ジ○ニアス英和辞典」「クラウ○和英辞典」の各キー位置は、それぞれ図４（Ｂ）に示すように、辞書キー（シフト後）位置テーブル１２ｅにおける「英和」「和英」の各シフト後設定位置に設定され（ステップＣ３〜Ｃ６）、また、図５（Ｂ）に示すように、メニュー位置テーブル１２ｆの前記追加辞書「[I]大漢字事典」のキー位置に続く各空きエリア[J][K]にも設定される（ステップＣ７）。
【００９９】
また、前記追加辞書「○○俳句季題便覧」「英語類語辞典」「○○ＩＴ用語事典」についての各キー位置は、何れも同種の内蔵辞書無しと判断されて、図５（Ｂ）に示すように、メニュー位置テーブル１２ｆに設定されている前記追加辞書「[K]クラウ○和英辞典」のキー位置に続く空きエリア[L][M][N]にのみ設定される（ステップＣ４→Ｃ７）。
【０１００】
そして、ステップＣ８において、キー位置が未設定である次の追加辞書無しと判断されると、図９（Ａ）で示したシフト後キー位置設定画面Ｇ３において、前記辞書キー（シフト後）位置テーブル１２ｅに基づきシフト機能を伴うキー位置が設定された各辞書指定キー「国語」１７a1〜「和英」１７a5と各辞書との対応位置を変更設定可能な状態になる（ステップＣ９）。
【０１０１】
この場合、ステップＣ９では、図９（Ａ１）に示すように、各辞書指定キー「国語」１７a1〜「和英」１７a5に対応表示された各辞書の表示位置を、所望の位置変更を行いたい各辞書表示エリア間（例えば「○辞苑」と「大漢字辞典」間）でカーソルキー１７ｋ及びスーパージャンプキー１７ｊを操作して入れ替え、「訳／決定」キー１７ｙを操作することで、適宜更新されて表示される（ステップＣ９）。
【０１０２】
すると、前記シフト後キー位置設定画面Ｇ３での辞書表示位置の変更に伴い前記辞書キー（シフト後）位置テーブル１２ｅ（図４（Ｂ）参照）上での入れ替え対象辞書である「○辞苑」と「大漢字辞典」との位置が変更設定され、メモリ１２にインストールされる（ステップ１０）。
【０１０３】
一方、前記ステップＣ１におけるシフト後キー位置設定画面Ｇ３（図９（Ａ）参照）上での追加辞書キー設定「メニュー／シフト後キー」の項目に応じて、「メニュー」が選択されて辞書選択メニュー画面Ｍｎ（図１２参照）上での追加辞書の位置設定であると判断されると、当該各追加辞書「○辞苑」〜「○○ＩＴ用語事典」を呼び出すためのキー位置は、図５（Ａ）→図５（Ｂ）に示すように、メニュー位置テーブル１２ｆに設定されている内蔵辞書「[A]学習国語辞典」〜「[F]ことわざ辞典」のキー位置に続く空きエリア[G]〜[N]に順次設定され、図９（Ｂ）（Ｃ）に示すように、メニュー位置設定第１画面Ｇm1及びメニュー位置設定第２画面Ｇm2として表示される（ステップＣ１→Ｃ１１）。
【０１０４】
このメニュー位置設定第１画面Ｇm1とメニュー位置設定第２画面Ｇm2とは、次ページキー１７puの操作に応じて切り換えられるもので、このメニュー位置設定画面Ｇmnにおいて表示された各辞書の配列位置は、所望の位置変更を行いたい各辞書表示位置間でカーソルキー１７ｋ及びスーパージャンプキー１７ｊを操作することで入れ替えられ、「訳／決定」キー１７ｙを操作することで更新されて表示される（ステップＣ９）。
【０１０５】
すると、前記メニュー位置設定画面Ｇmn上での表示配列位置の変更に伴い前記メニュー位置テーブル１２ｆ（図５（Ｂ）参照）上での入れ替え対象辞書の位置が変更設定され、メモリ１２にインストールされる（ステップＣ１０）。
【０１０６】
すなわち、購入選択された追加の各辞書を呼び出すためのキー位置は、シフト機能を伴う各辞書指定キー１７a1〜１７a5に対応付けられて設定されると共に、辞書選択メニュー画面Ｍｎ（図１２参照）上の空きエリアにも順次設定されるか（ステップＣ１〜Ｃ８）、または、当該辞書選択メニュー画面Ｍｎ（図１２参照）上の空きエリアにのみ順次設定されるもので（ステップＣ１→Ｃ１１）、前記辞書指定キー１７a1〜１７a5のそれぞれに対応する追加辞書のシフト後キー位置や辞書選択メニュー画面Ｍｎ（図１２参照）上での追加辞書の配列表示位置は、ユーザの希望により適宜変更されて更新表示され（ステップＣ９）、辞書キー（シフト後）位置テーブル１２ｅやメニュー位置テーブル１２ｆに更新設定されてインストールされる（ステップＣ１０）。
【０１０７】
このような、追加辞書のキー位置設定処理（ステップＡＣ／ＢＤ）によって、各追加の辞書それぞれを呼び出すためのキー位置が、例えば図４（Ｂ）および図５（Ｂ）で示したように、辞書キー（シフト後）位置テーブル１２ｅおよびメニュー位置テーブル１２ｆとして更新設定されると、辞書管理サーバ２０の顧客端末別購入情報メモリ２２dnに記憶されているアクセス先の携帯機器（電子辞書）１０に対応する追加辞書情報２２dn2に従い、購入対象である各追加の辞書データが種類別辞書データベース２２ｂから読出され、当該アクセス先の携帯機器（電子辞書）１０へ送信される（ステップＢ６）。
【０１０８】
すると、携帯機器（電子辞書）１０では、前記辞書管理サーバ２０から送信された各追加の辞書データが受信され、メモリ１２内の追加辞書データメモリ１２ｇにインストールされる（ステップＡ９）。
【０１０９】
この際、追加辞書データメモリ１２ｇにインストールされる各追加の辞書データには、それぞれの辞書タイトル／元メディア（この場合「インターネット」）／インストール年月日が対応付けられて記憶される。
【０１１０】
なお、携帯機器（電子機器）１０での追加辞書のキー位置設定およびその設定位置の変更による更新表示に伴い、当該携帯機器（電子機器）１０自らが辞書キー（シフト後）位置テーブル１２ｅおよびメニュー位置テーブル１２ｆの更新設定処理を行わない場合には、前記ステップＣ９におけるシフト機能を伴う各辞書指定キー１７a1〜１７a5と各辞書との対応付けの更新表示情報、およびメニュー位置設定画面Ｇmnでの各辞書の配列の更新表示情報は、辞書管理サーバ２０へ送信される（ステップＣ１０′）。
【０１１１】
すると、辞書管理サーバ２０では、前記携帯機器（電子辞書）１０から受信されたシフト機能を伴う各辞書指定キー１７a1〜１７a5と各辞書との対応付けの更新表示情報、およびメニュー位置設定画面Ｇmnでの各辞書の配列の更新表示情報に従い、これに対応した辞書キー（シフト後）位置テーブル１２ｅおよびメニュー位置テーブル１２ｆを作成する（ステップＤ１０′）。
【０１１２】
そして、顧客端末別購入情報メモリ２２dnに記憶されているアクセス先の携帯機器（電子辞書）１０に対応する追加辞書情報２２dn2に従い、購入対象である各追加の辞書データを種類別辞書データベース２２ｂから読出し、前記更新作成された辞書キー（シフト後）位置テーブル１２ｅおよびメニュー位置テーブル１２ｆと共に当該アクセス先の携帯機器（電子辞書）１０へ送信する（ステップＢ６）。
【０１１３】
すると、携帯機器（電子辞書）１０では、前記辞書管理サーバ２０から送信された更新後の辞書キー（シフト後）位置テーブル１２ｅおよびメニュー位置テーブル１２ｆが受信されてメモリ１２内の対応エリアにインストールされ、また各追加の辞書データが受信されてメモリ１２内の追加辞書データメモリ１２ｇにインストールされる（ステップＡ９）。
【０１１４】
この際も前記同様に、追加辞書データメモリ１２ｇにインストールされる各追加の辞書データには、それぞれの辞書タイトル／元メディア（この場合「インターネット」）／インストール年月日が対応付けられて記憶される。
【０１１５】
これにより、携帯機器（電子辞書）１０では、前記追加辞書購入選択画面Ｇ２（図８（Ｂ）参照）において選択指定した各追加の辞書データ「○辞苑」「マイ百科事典」「大漢字辞典」「ジ○ニアス英和辞典」「クラウ○和英辞典」「○○俳句季題便覧」「英語類語辞典」「○○ＩＴ用語事典」が、辞書管理サーバ２０からダウンロードされてメモリ１２内の追加辞書データメモリ１２ｇにインストールされた状態になるのと共に、当該各追加の辞書を各内蔵辞書「学習国語辞典」「ものしり百科事典」「マンガ漢和辞典」「初級英和辞典」「ジュニアー和英辞典」「ことわざ辞典」と同様のキー操作により呼び出して使用するための辞書キー（シフト後）位置テーブル１２ｅ（図４（Ｂ）参照）およびメニュー位置テーブル１２ｆ（図５（Ｂ）参照）が設定され、前記シフト後キー位置設定画面Ｇ３（図９（Ａ）参照）やメニュー位置設定画面Ｇmn（図９（Ａ）（Ｂ）参照）でのユーザ任意の変更操作に応じて更新設定された状態となる。
【０１１６】
なお、前記図６〜図９を参照して説明した辞書追加処理では、通信ネットワーク（インターネット）Ｎ上にある辞書管理サーバ２０から所望の追加の辞書を選択的に指定してダウンロードし、前記追加辞書のキー位置設定処理に従いそのキー位置を設定し、そして追加辞書データメモリ１２ｇにインストールする構成としたが、外部記録媒体１３としてのＣＤ−ＲＯＭやメモリカードからダウンロードして追加インストール場合でも、その追加辞書のキー位置設定処理（ステップＣ１〜Ｃ１０）は前記同様に行われる。
【０１１７】
図１０は前記携帯機器（電子辞書）１０による辞書表示処理を示すフローチャートである。
【０１１８】
図１１は前記携帯機器（電子辞書）１０での辞書表示処理に伴う追加辞書インストール前後の各辞書呼び出しのためのキー位置状態を対比して示す図であり、同図（Ａ）は追加辞書インストール前の各辞書キー位置状態を示す図、同図（Ｂ）は追加辞書インストール（ダウンロード）後の各辞書キー位置状態を示す図である。
【０１１９】
図１２は前記携帯機器（電子辞書）１０での辞書表示処理に伴う追加辞書インストール前後の辞書選択メニュー画面Ｍｎを対比して示す図であり、同図（Ａ）は追加辞書インストール前の辞書選択メニュー画面Ｍ１を示す図、同図（Ｂ）は追加辞書インストール（ダウンロード）後の辞書選択メニュー画面Ｍ１，Ｍ２を示す図である。
【０１２０】
辞書データを使用した各種用語の訳語検索や内容検索などを行う場合に、辞書表示処理が起動されると、追加辞書データメモリ１２ｇ内に追加の辞書データがインストールされて記憶されているか否か、つまり追加の辞書が有るか否か判断される（ステップＥ１）。
【０１２１】
ここで、追加の辞書無しと判断された場合には、通常の辞書表示処理に移行され、辞書指定キー１７anやメニューキー１７ｍの操作に応じて辞書キー位置テーブル１２ｄ（図３参照）やメニュー位置テーブル１２ｆ（図５（Ａ）参照）が参照され、内蔵辞書データメモリ１２ｃに記憶されている各種内蔵辞書の中の所望の種類の辞書データが呼び出され、検索対象である見出し語の入力表示状態となる。
【０１２２】
例えば図１１（Ａ）の(1)に示すように、内蔵辞書データ１２ｃとして「国語：学習国語辞典」「百科：ものしり百科事典」「漢和：マンガ漢和辞典」「英和：初級英和辞典」「和英：ジュニアー和英辞典」「第２百科：ことわざ辞典」が予め記憶されている追加辞書インストール前の携帯機器（電子辞書）１０にあっては、所望の種類表記の辞書指定キー１７anを操作すると、辞書キー位置テーブル１２ｄ（図３参照）に従って当該指定の種類の前記内蔵辞書データが読み出され、当該辞書の種類に応じた見出し語入力画面Ｇ１の表示状態となる。
【０１２３】
そして、図１１（Ａ）の(2)に示すように、シフトキー１７ｓを操作すると各辞書指定キー１７anそれぞれの位置に対応したエリアを有するシフト後辞書メニューＨｓが表示部１８の下段に沿って表示される。
【０１２４】
この追加辞書インストール前のシフト後辞書メニューＨｓでは、辞書キー（シフト後）位置テーブル１２ｅ（図４（Ａ）参照）に従って辞書指定キー「百科事典」１７a2に沿ったパネル表記「ことわざ」に対応するエリアにのみ「ことわざ辞典」と表示されるもので、シフトキー１７ｓ＋辞書指定キー「百科事典」１７a2の操作によって内蔵辞書データ「ことわざ辞典」が読出されその見出し語入力画面の表示状態となる。
【０１２５】
また、メニューキー１７ｍを操作すると、図１２（Ａ）に示すように、メニュー位置テーブル１２ｆ（図５（Ａ）参照）に従った順序で各内蔵辞書のタイトルが配列された辞書選択メニュー画面Ｍ１が表示される。そして、この辞書選択メニュー画面Ｍ１において、カーソルキー１７ｋを操作して所望の辞書タイトルを指定することで、当該指定の内蔵辞書データが読み出されて見出し語入力画面Ｇ１の表示状態となる。
【０１２６】
一方、前記ステップＥ１において、追加辞書データメモリ１２ｇ内に追加の辞書データがインストールされて記憶されていると判断された場合には、メニューキー１７ｍの操作検出状態であるか（ステップＥ２(Yes)）、またはシフトキー１７ｓの操作検出状態であるか（ステップＥ３(Yes)）が判断される。
【０１２７】
ここで、前記メニューキー１７ｍおよびシフトキー１７ｓの何れのキー検出も無いと判断されると、図１１（Ｂ）の(1)に示すように、辞書キー位置テーブル１２ｄ（図３参照）に従い各辞書指定キー１７anそれぞれの位置に対応した種類の内蔵辞書タイトルの表示エリアを有する辞書メニューＨが表示部１８の下段に沿って表示される（ステップＥ２→Ｅ３→Ｅ４）。
【０１２８】
ここで、例えば辞書指定キー「国語辞典」１７a1を操作すると、当該辞書指定キー「国語辞典」１７a1の操作位置に対応するところの辞書メニューＨ上に表示されている内蔵辞書の辞書データ「学習国語辞典」が読出され、その見出し語入力画面Ｇ１の表示状態となる（ステップＥ６→Ｅ７）。
【０１２９】
また、追加の辞書がインストールされている場合に、シフトキー１７ｓの操作が検知判断された場合には、図１１（Ｂ）の(2)に示すように、辞書キー（シフト後）位置テーブル１２ｅ（図４（Ｂ）参照）に従い各辞書指定キー１７anそれぞれの位置に対応した種類の辞書タイトルの表示エリアを有するシフト後辞書メニューＨｓが表示部１８の下段に沿って表示される（ステップＥ３→Ｅ８）。
【０１３０】
このシフト後辞書メニューＨｓの表示に合わせて、例えば辞書指定キー「国語辞典」１７a1を操作すると、当該辞書指定キー「国語辞典」１７a1の操作位置に対応するところのシフト後辞書メニューＨｓ上に表示されている追加辞書の辞書データ「○辞苑」が読出され、その見出し語入力画面Ｇ１の表示状態となる（ステップＥ１０→Ｅ１１）。
【０１３１】
また、追加の辞書がインストールされている場合に、メニューキー１７ｍの操作が検知判断された場合には（ステップＥ２／Ｅ５／Ｅ９）、図１２（Ｂ）に示すように、追加辞書によるキー位置設定後のメニュー位置テーブル１２ｆに従った順序で各内蔵辞書および各追加辞書のタイトルが配列された辞書選択メニュー画面Ｍ１が表示される（ステップＥ１２）。
【０１３２】
なお、この辞書選択メニュー画面Ｍ１上で全辞書タイトルが表示しきれない場合には、ページ送りキー１７puの操作によって辞書選択メニュー画面Ｍ２と切り換え表示される。
【０１３３】
この際、前記辞書選択メニュー画面Ｍｎに一覧表示される各内蔵辞書および追加辞書のタイトルのうち追加辞書のタイトルについては、当該追加辞書データメモリ１２ｇに共に記憶されているダウンロード元のメディア名（インターネット／ＣＤ−ＲＯＭ／メモリカードなど）が対応付けられて表示される（ステップＥ１２ａ）。
【０１３４】
これによりユーザは、辞書選択メニュー画面Ｍｎにて一覧表示される各内蔵および追加の辞書のうち、何れの辞書が追加の辞書でまた当該追加の辞書を何れのメディアからダウンロードしたのかを容易に確認することができる。
【０１３５】
そして、この辞書選択メニュー画面Ｍ１，Ｍ２において、カーソルキー１７ｋを操作して所望の辞書タイトルを選択指定することで、当該指定の辞書データが読み出されて見出し語入力画面Ｇ１の表示状態となる（ステップＥ１３→Ｅ１４）。
【０１３６】
そして、前記辞書指定キー１７anの直接操作に応じた辞書データの読出しに伴う見出し語入力画面Ｇ１、または前記シフトキー１７ｓ操作後の辞書指定キー１７anの操作に応じた辞書データの読出しに伴う見出し語入力画面Ｇ１、または辞書選択メニュー画面Ｍｎ上での選択操作に応じた辞書データの読出しに伴う見出し語入力画面Ｇ１において、検索対象となる見出し語を文字入力すると（ステップＥ１６）、これにより入力された見出し語の文字列が前記選択的に読み出された所望の辞書データから検索され、その見出し語に対応する訳語や意味内容等の対応情報が表示される（ステップＥ１７）。
【０１３７】
この場合、前記各内蔵の辞書データ１２ｃを辞書指定キー１７anやシフトキー１７ｓ，メニューキー１７ｍを使用して選択的に呼び出して辞書検索処理を行う場合と、各追加の辞書データ１２ｇを同辞書指定キー１７anやシフトキー１７ｓ，メニューキー１７ｍを使用して選択的に呼び出して辞書検索処理を行う場合とで、そのキー操作の手順ややり方は全く変わらず、追加辞書のインストール後であっても、同インストール前と同じ使い勝手で、所望の辞書データを使用した検索処理が行えるようになる。
【０１３８】
なお、このようなユーザ所望の辞書データを適宜ダウンロードしてインストール可能な電子辞書装置では、各内蔵の辞書および各追加の辞書で多種多様な複数の辞書が用意されることになるが、次に説明する全辞書検索機能を備えることで、見出し語に対応した最適な検索情報を容易に見出すことができるようになる。
【０１３９】
図１３は前記携帯機器（電子辞書）１０における全辞書検索処理を示すフローチャートである。
【０１４０】
図１４は前記携帯機器（電子辞書）１０での全辞書検索処理に伴う辞書検索表示動作（その１）を示す図であり、同図（Ａ）は全辞書検索の見出し語入力画面ＧＡを示す図、同図（Ｂ）は全辞書検索結果一覧表示画面ＧＡ１を示す図、同図（Ｃ）は検索結果選択表示画面ＧＡ２を示す図である。
【０１４１】
入力部１７における全辞書検索キー１７Ａ（図１１参照）が操作されると、図１４（Ａ）に示すように、全辞書検索用見出し語入力画面ＧＡが表示される（ステップＳ１→Ｓ２）。
【０１４２】
この全辞書検索用見出し語入力画面ＧＡにおいて、入力部１７の操作により検索対象となる見出し語（例えば「ふらんねる」）が入力されて表示されると、内蔵辞書データメモリ１２ｃに記憶されている各内蔵の辞書データ（「学習国語辞典」〜「ことわざ辞典」）および追加辞書データメモリ１２ｇに記憶されている各追加の辞書データ（「○辞苑」〜「○○ＩＴ用語事典」）の全ての辞書データのそれぞれを対象にして入力された見出し語「ふらんねる」の検索処理が実行される（ステップＳ３→Ｓ４）。
【０１４３】
すると、図１４（Ｂ）に示すような全辞書検索結果一覧表示画面ＧＡ１において、検索対象の見出し語と一致する見出し語「ふらんねる」を有する全ての辞書のタイトルが配列表示されると共に、各辞書タイトルに対応付けて検索された見出し語の先頭部分が表示され、さらに一致見出し語が検索された各辞書のうちで追加の辞書については、そのダウンロード元メディア、ダウンロード年月日が対応付けられて表示される（ステップＳ５）。
【０１４４】
この全辞書検索結果一覧表示画面ＧＡ１において、見出し語検索された各辞書のうちでユーザ所望の辞書タイトル（この場合「学習国語辞典」）を選択して識別表示させ、入力部１７の「訳／決定」キー１７ｙが操作されると（ステップＳ６）、図１４（Ｃ）に示すように、選択された辞書データに基づき検索たれた見出し語「ふらんねる」に続く、訳語，意味内容などの検索情報の全てが検索結果選択表示画面ＧＡ２に表示される（ステップＳ７）。
【０１４５】
図１５は前記携帯機器（電子辞書）１０での全辞書検索処理に伴う辞書検索表示動作（その２）を示す図であり、同図（Ａ）は全辞書検索結果一覧表示画面ＧＡ１を示す図、同図（Ｂ）は検索結果選択表示画面ＧＡ２を示す図である。
【０１４６】
図１５（Ａ）に示すように、見出し語「ふらんねる」が検索された各辞書タイトル「学習国語」「ものしり百科」「ジュニアー和英」「○辞苑」「マイ百科」「クラウ○和英」とその検索見出し語の先頭部分、および追加の辞書についてはそのそれぞれのダウンロードメディア・ダウンロード年月日が対応付けられて表示された全辞書検索結果一覧表示画面ＧＡ１（ステップＳ５）において、例えば「マイ百科」を選択して識別表示させ「訳／決定」キー１７ｙが操作されると（ステップＳ６）、図１５（Ｂ）に示すように、当該「マイ百科事典」の追加辞書データの見出し語「ふらんねる」に対応付けられた画像を含む全情報が検索結果選択表示画面ＧＡ２に表示される（ステップＳ７）。
【０１４７】
これにより、インターネット上の辞書管理サーバ２０や外部記録媒体１３であるメモリカード、あるいはＣＤ−ＲＯＭなどから多種多様な追加の辞書データをダウンロードしてインストールすることにより、利用可能な辞書数が多くなった場合でも、「全辞書検索」キー１７Ａを操作して全ての辞書データを対象とした見出し語検索処理を一括して行うことで、容易に最適な辞書情報を見出すことができ、しかも見出し語検索された辞書データが内蔵の辞書であるのかダウンロードされた追加の辞書であるかを、そのダウンロード元メディアやダウンロード年月日を表示させて容易に確認できるようになる。
【０１４８】
したがって、前記構成の携帯機器（電子辞書）１０における辞書追加・全辞書検索機能によれば、辞書の種類を個々に表記した各辞書指定キー１７an…と当該各種類の内蔵辞書データとを対応付けた辞書キー位置テーブル１２ｄおよびシフトキー１７ｓ操作後の各辞書指定キー１７an…と各種類の内蔵辞書データとを対応付けた辞書キー（シフト後）位置テーブル１２ｅに従い、辞書指定キー１７anの単独操作やシフトキー１７ｓ＋辞書指定キー１７anの組み合わせ操作に応じて対応付けられた辞書データを呼び出して検索使用すると共に、メニュー位置テーブル１２ｆによって各内蔵辞書を配列した辞書選択メニュー画面Ｍｎに従い当該メニュー画面Ｍｎにて選択した辞書データを呼び出して検索使用する。そして、外部から追加の辞書データをインストールした場合には、各追加の辞書を呼び出すためのキー位置をその種類毎に前記辞書キー（シフト後）位置テーブル１２ｅの空きエリアに設定すると共に、前記メニュー位置テーブル１２ｆの空きエリアにも配列設定して、前記シフトキー１７ｓ＋辞書指定キー１７anの組み合わせ操作や辞書選択メニュー画面Ｍｎでの選択操作に応じて各追加の辞書データも呼び出すようにしたので、追加の辞書データも前記内蔵の辞書データと同様のキー操作によって呼び出し検索使用することができる。
【０１４９】
しかも、多数の追加の辞書データをダウンロードしてインストールすることで、検索対象見出し語に適切な辞書データを個別に認識して指定できないような場合でも、「全辞書検索」キー１７Ａの操作に応じて全ての辞書データを対象とした見出し語検索処理を一括して行うことで、容易に最適な辞書情報を見出すことができるようになる。
【０１５０】
また、見出し語検索された辞書データが内蔵の辞書であるのかダウンロードされた追加の辞書であるかを、そのダウンロード元メディアやダウンロード年月日を表示させて容易に確認できるようになる。
【０１５１】
なお、前記実施形態の携帯機器（電子辞書）１０では、シフトキー１７ｓの操作を伴う各辞書指定キー１７an…と各辞書との対応付けを設定する辞書キー（シフト後）位置テーブル１２ｅには、内蔵辞書のみの状態で空きエリアを存在させ、この空きエリアに対して追加の各辞書を各辞書指定キー１７an…で指定する辞書の種類に対応させて設定する構成としたが、次に説明するように、内蔵辞書のみの状態でシフトキー１７ｓ後の各辞書指定キー１７an…と各内蔵辞書との対応付けが全て成されている場合には、追加の各辞書はメニュー位置テーブル１２ｆの空きエリアにのみキー位置を設定し、辞書選択メニュー画面Ｍｎから内蔵辞書同様の使い勝手により使用する構成としてもよい。
【０１５２】
図１６は前記携帯機器（電子辞書）１０においてシフトキー１７ｓ後の各辞書指定キー１７an…の全てについて内蔵辞書が対応付けられている場合のキー入力パネルおよび追加辞書インストール前の辞書選択メニュー画面Ｍ１を示す図である。
【０１５３】
図１７は前記携帯機器（電子辞書）１０においてシフトキー１７ｓ後の各辞書指定キー１７an…の全てについて内蔵辞書が対応付けられている場合のキー入力パネルおよび追加辞書インストール（ダウンロード）後の辞書選択メニュー画面Ｍ２を示す図である。
【０１５４】
すなわち、携帯機器（電子辞書）１０においてシフトキー１７ｓ後の各辞書指定キー１７an…の全てについて内蔵辞書が対応付けられている場合のキー入力パネルには、各辞書指定キー１７a1〜１７a5の直上のパネル位置にシフトキー１７ｓとの組み合わせ操作により呼び出される各内蔵辞書の種類がシフト後辞書メニューｍ１〜ｍ５として印刷表記される。
【０１５５】
そして、このような携帯機器（電子辞書）１０の場合には、辞書管理サーバ２０（又はＣＤ−ＲＯＭ／メモリカード）からダウンロードしてインストールする追加の各辞書データを呼び出すためのキー位置は、前記図７を参照して説明した追加辞書のキー位置設定処理により、メニュー位置テーブル１２ｆの空きエリアにのみ順次追加されて設定されるので、追加の各辞書データはメニューキー１７ｍにより表示される辞書選択メニュー画面Ｍ１，Ｍ２上において、内蔵の各辞書データを選択して呼び出し使用する場合と同様の使い勝手で呼び出して使用することができる。
【０１５６】
この場合、図１７（Ｂ）の（２）に示すように、２ページ目の辞書選択メニュー画面Ｍ２において表示される各追加の辞書タイトルには、前記実施形態同様に、そのダウンロード元メディアが対応付けられて表示されるので、メニュー表示される多数の辞書のうち何れの辞書がダウンロードによる追加の辞書で何の外部メディアからダウンロードされたのかを容易に確認することができる。
【０１５７】
なお、前記各実施形態において記載した携帯機器（電子辞書）１０および辞書管理サーバ２０による各処理の手法、すなわち、図６のフローチャートに示す辞書追加処理、図７のフローチャートに示す当該辞書追加処理に伴う追加辞書のキー位置設定処理、図１０のフローチャートに示す辞書表示処理、図１３のフローチャートに示す全辞書検索処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３（２３）に格納して配布することができる。そして、通信ネットワーク（インターネット）Ｎとの通信機能を備えた種々のコンピュータ端末は、この外部記録媒体１３（２３）に記憶されたプログラムを記録媒体読取部１４（２４）によってメモリ１２（２２）に読み込み、この読み込んだプログラムによって動作が制御されることにより、前記実施形態において説明した辞書追加機能および追加辞書を含んだ全辞書検索機能を実現し、前述した手法による同様の処理を実行することができる。
【０１５８】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述した辞書追加機能および追加辞書を含んだ全辞書検索機能を実現することもできる。
【０１５９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１６０】
【図１】本発明の電子辞書装置の実施形態に係る携帯機器（電子辞書）１０の電子回路の構成を示すブロック図。
【図２】前記携帯機器（電子辞書）１０での辞書追加処理に伴い通信ネットワーク（インターネット）Ｎを介してアクセスされる辞書管理サーバ２０の電子回路の構成を示すブロック図。
【図３】前記携帯機器（電子辞書）１０のメモリ１２にて管理される辞書キー位置テーブル１２ｄの一例を示す図。
【図４】前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図。
【図５】前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図。
【図６】前記携帯機器（電子辞書）１０と辞書管理サーバ２０との間で実施される辞書追加処理を示すフローチャートであり、同図（Ａ）は携帯機器（電子辞書）１０側の辞書追加処理を示すフローチャート、同図（Ｂ）は辞書管理サーバ２０側の辞書追加処理を示すフローチャート。
【図７】前記携帯機器（電子辞書）１０と辞書管理サーバ２０との間で実施される辞書追加処理に伴う追加辞書のキー位置設定処理を示すフローチャートであり、同図（Ａ）は携帯機器（電子辞書）１０側のキー位置設定処理を示すフローチャート、同図（Ｂ）は辞書管理サーバ２０側のキー位置設定処理を示すフローチャート。
【図８】前記携帯機器（電子辞書）１０での辞書追加処理に伴う表示動作を示す図であり、同図（Ａ）は「学習国語辞典」での見出し語入力画面Ｇ１を示す図、同図（Ｂ）は追加辞書購入選択画面Ｇ２を示す図。
【図９】前記携帯機器（電子辞書）１０の辞書追加処理に伴うキー位置設定処理での表示動作を示す図であり、同図（Ａ）はシフト後キー位置設定画面Ｇ３を示す図、同図（Ｂ）はメニュー位置設定第１画面Ｇm1を示す図、同図（Ｃ）はメニュー位置設定第２画面Ｇm2を示す図。
【図１０】前記携帯機器（電子辞書）１０による辞書表示処理を示すフローチャート。
【図１１】前記携帯機器（電子辞書）１０での辞書表示処理に伴う追加辞書インストール前後の各辞書呼び出しのためのキー位置状態を対比して示す図であり、同図（Ａ）は追加辞書インストール前の各辞書キー位置状態を示す図、同図（Ｂ）は追加辞書インストール（ダウンロード）後の各辞書キー位置状態を示す図。
【図１２】前記携帯機器（電子辞書）１０での辞書表示処理に伴う追加辞書インストール前後の辞書選択メニュー画面Ｍｎを対比して示す図であり、同図（Ａ）は追加辞書インストール前の辞書選択メニュー画面Ｍ１を示す図、同図（Ｂ）は追加辞書インストール（ダウンロード）後の辞書選択メニュー画面Ｍ１，Ｍ２を示す図。
【図１３】前記携帯機器（電子辞書）１０における全辞書検索処理を示すフローチャート。
【図１４】前記携帯機器（電子辞書）１０での全辞書検索処理に伴う辞書検索表示動作（その１）を示す図であり、同図（Ａ）は全辞書検索の見出し語入力画面ＧＡを示す図、同図（Ｂ）は全辞書検索結果一覧表示画面ＧＡ１を示す図、同図（Ｃ）は検索結果選択表示画面ＧＡ２を示す図。
【図１５】前記携帯機器（電子辞書）１０での全辞書検索処理に伴う辞書検索表示動作（その２）を示す図であり、同図（Ａ）は全辞書検索結果一覧表示画面ＧＡ１を示す図、同図（Ｂ）は検索結果選択表示画面ＧＡ２を示す図。
【図１６】前記携帯機器（電子辞書）１０においてシフトキー１７ｓ後の各辞書指定キー１７an…の全てについて内蔵辞書が対応付けられている場合のキー入力パネルおよび追加辞書インストール前の辞書選択メニュー画面Ｍ１を示す図。
【図１７】前記携帯機器（電子辞書）１０においてシフトキー１７ｓ後の各辞書指定キー１７an…の全てについて内蔵辞書が対応付けられている場合のキー入力パネルおよび追加辞書インストール（ダウンロード）後の辞書選択メニュー画面Ｍ２を示す図。
【符号の説明】
【０１６１】
１０  …携帯機器（電子辞書）
２０  …辞書管理サーバ
１１、２１…ＣＰＵ
１２、２２…メモリ
１２ａ…辞書追加プログラム
１２ｂ…辞書検索プログラム
１２ｃ…内蔵辞書データメモリ
１２ｄ…辞書キー位置テーブル
１２ｅ…辞書キー（シフト後）位置テーブル
１２ｆ…メニュー位置テーブル
１２ｇ…追加辞書データメモリ
１２ｈ…ワークエリア
１２ｉ…個人情報メモリ
１２ｊ…電子辞書追加情報メモリ
２２ａ…サーバプログラム
２２ｂ…種類別辞書データベース
２２ｃ…各辞書情報メモリ
２２dn…顧客端末別購入情報メモリ
２２dn1…内蔵辞書タイトル
２２dn2…追加辞書タイトル
２２dn3…ユーザ個人情報
２２dn4…請求価格
１３、２３…外部記録媒体
１４、２４…記録媒体読取部
１５、２５…電送制御部
１６  …通信部
１７、２６…入力部
１７an…辞書指定キー
１７ｓ…シフトキー
１７ｍ…メニューキー
１８、２７…表示部
３０  …ユーザＰＣ
Ｎ  …通信ネットワーク（インターネット）
Ｈ  …辞書メニュー
Ｈｓ…シフト後辞書メニュー
【図１】
2005190395.tif 000003
【図２】
2005190395.tif 000004
【図３】
2005190395.tif 000005
【図４】
2005190395.tif 000006
【図５】
2005190395.tif 000007
【図６】
2005190395.tif 000008
【図７】
2005190395.tif 000009
【図８】
2005190395.tif 000010
【図９】
2005190395.tif 000011
【図１０】
2005190395.tif 000012
【図１１】
2005190395.tif 000013
【図１２】
2005190395.tif 000014
【図１３】
2005190395.tif 000015
【図１４】
2005190395.tif 000016
【図１５】
2005190395.tif 000017
【図１６】
2005190395.tif 000018
【図１７】
2005190395.tif 000019